(57)【要約】【課題】コンセントに接地極がない場合においても、負荷機器の３極プラグの接地極を外部の接地極に接続することができるアース線接続端子部を備えた本体構造を有するプラグ構造を提供する。【解決手段】栓刃２５ａが所定面２０ｂ４から突設されるとともに、該所定面以外の面においてコンセントが配設された本体を有するプラグ１０であって、本体内部において、前記栓刃を構成する導体とコンセントを構成する導体における接地極同士が導体７１によって電気的に接続される一方、前記接地極同士を接続する導体の一部に、該導体７１に、前記本体の外部から電線を接続することができる接地端子配置部を備えて構成した。【選択図】図１
2017199482.tif 000002
【特許請求の範囲】
【請求項１】
栓刃が所定面から突設されるとともに、
該所定面以外の面においてコンセントが配設された本体を有するプラグであって、
本体内部において、前記栓刃を構成する導体とコンセントを構成する導体における接地極同士が導体によって電気的に接続される一方、
前記接地極同士を接続する導体の一部に、該導体に、前記本体の外部から電線を接続することができる接地端子配置部を備えて構成したことを特徴とするプラグ構造。
【請求項２】
請求項１において、
前記接地端子配置部は、前記所定面における栓刃の突設方向において一部が露出されて配置され、
前記突設方向に沿って、前記接地端子配置部の操作部が配置されることを特徴とするプラグ構造。
【請求項３】
請求項２において、
前記接地端子配置部の周囲は、前記栓刃が突設する所定面から凹んで形成されるとともに、ひとつの側面方向のみ開放されて形成されていることを特徴とするプラグ構造。
【発明の詳細な説明】
【技術分野】
【０００１】
本発明は、本体に栓刃を備えたプラグに関する。特に、前記栓刃から得た電力を負荷側電路に供給するコンセントを本体に併せ持つプラグに関する。
【背景技術】
【０００２】
造営材等に配設されたコンセントに栓刃を差し込み接続し、負荷側電路に電力を供給するプラグは周知である。一方、プラグ本体の内部に、負荷側電路への電力供給を選択的に切換えできる機能や、電路における漏電を検知して当該電路への電力供給を遮断する機能を備えたプラグは、例えば、特許文献１に開示されるような栓刃付漏電遮断器、特許文献２に開示されるような漏電保護プラグが公知である。また、プラグ本体内部に、コンセントの配線形態に対応して栓刃の数を増減できる機構を備えたプラグは、特許文献３に開示されるような２Ｐ３Ｐ兼用プラグ（２Ｐは２極、３Ｐは２極接地端子付きという）が公知である。
【０００３】
特許文献１の栓刃付漏電遮断器は、コンセントと負荷機器とを電気的に繋ぎ、当該負荷機器において漏電が発生した場合にはこれを瞬時に検知して負荷機器への通電を遮断する。特許文献２の漏電保護プラグは、接地極を備えており、負荷機器の絶縁劣化に伴う地絡を検出することができるものである。
【０００４】
特許文献３のプラグは、本体外周を、内部に対して回転可能に設け、外周の回転動作に連動してアース極の栓刃の位置を変位させることにより、栓刃の数を増減させて、接地極を備えた３極コンセントと、接地極を備えない２極コンセントとの両方に接続可能な形態を構成する。
【先行技術文献】
【特許文献】
【０００５】
【特許文献１】実開昭６３−０７９０４３号公報
【特許文献２】特開２００２−２１６６１３号公報
【特許文献３】特開２０１３−４５６３４号公報
【発明の概要】
【発明が解決しようとする課題】
【０００６】
上記したように、プラグ本体の内部に電力供給の切り替え機能や、電路における漏電を検知して当該電路への電力供給を遮断する機能を備えたものや、栓刃の数を接地極の有無に対応させて増減させる機能を備えた付加機能を備えたプラグが公知であるが、特に地絡保護を目的とした漏電検知を行うためには接地極を確実に接続することが重要である。
【０００７】
内線規程によって、接地極の接続を確実に行うことが特定用途コンセントにおいては義務化され、またその他のコンセントにおいても推奨とされている。現在においては、普及が進んでいる途中であり、接地極を備えていないコンセントもまだまだ多い。
【０００８】
このため、コンセントおよび負荷機器のプラグともに３極形の場合は地絡保護を行うことができるが、コンセントが２極である場合、負荷機器の３極プラグにおける接地極の接続を別途行って地絡保護を行う必要がある。
【０００９】
また、特許文献２に開示されたプラグにおいては、コンセントに、アースピンを差し込む接地極がなく、代わりにアース線接続用端子が付加されたアース線接続用端子付コンセントを使用する場合に、負荷機器の接地線の接続が行えるよう、プラグ本体にアース線を設けた形態が開示されている。一方、当該アース線を利用しない場合には、アース線が外部に露出し、端部が電気的に開放された状態となるため、見栄えが低下するとともに、開放端を絶縁処理するなど電気安全を確保する手間が別途発生する。また、接地極の接続が誤って電圧極に接続されていた場合には感電する危険がある。
【００１０】
上記の点に鑑み、本発明は、コンセントに接地極がない場合においても、負荷機器の３極プラグの接地極を外部の接地極に接続することができるアース線接続端子部を備えた本体構造を有するプラグ構造を提供することを目的とする。
【課題を解決するための手段】
【００１１】
本発明のプラグ構造は、栓刃が所定面から突設されるとともに、該所定面以外の面においてコンセントが配設された本体を有するプラグであって、本体内部において、前記栓刃を構成する導体とコンセントを構成する導体における接地極同士が導体によって電気的に接続される一方、前記接地極同士を接続する導体の一部に、該導体に、前記本体の外部から電線を接続することができる接地端子配置部を備えて構成したことを特徴として構成したものである。
【００１２】
これにより、栓刃を構成する導体とコンセントを構成する導体における接地極同士を接続する導体の一部に、前記本体の外部から電線を接続することができる接地端子配置部を備えて構成したから、コンセントに接地極がない場合においても、負荷機器の３極プラグの接地極を前記接地端子配置部に本体外部から電線を接続することによって、外部の接地極まで電気的に接続することができる。
【００１３】
また、前記接地端子配置部は、前記所定面における栓刃の突設方向において一部が露出されて配置され、前記突設方向に沿って、前記接地端子配置部の操作部が配置されることを特徴として構成してもよい。
【００１４】
これにより、前記接地端子配置部に本体外部から電線を接続するときに、プラグ本体をコンセントから一旦取り外す作業が必須となるから、例えば、接地極に、誤って電圧線が結線されていた場合に感電してしまうおそれを回避することができる。
【００１５】
また、前記接地端子配置部の周囲は、前記栓刃が突設する所定面から凹んで形成されるとともに、ひとつの側面方向のみ開放されて形成されていることを特徴としていてもよい。
【００１６】
これにより、接地端子配置部を周囲から隠蔽して見栄えをよくしつつ、開放部から、接続した電線を引き出すことができる。
【発明の効果】
【００１７】
本発明によれば、コンセントに接地極がない場合においても、負荷機器の３極プラグの接地極を外部の接地極に接続することができるアース線接続端子部を備えた本体構造を有するプラグを提供することができる。
【図面の簡単な説明】
【００１８】
【図１】本実施形態に係るプラグの外観図である。
【図２】本実施形態に係るプラグの外観図である。
【図３】プラグをコンセントに接続した概略図である。
【図４】プラグの接地極同士の接続を説明した図である。
【図５】プラグ本体を分割した時の概略図である。
【図６】本体内部の構成を示すと共に、第１コンセント部及び第２コンセント部に関する構成部品を分解した図である。
【図７】従来例を示した図である。
【図８】従来例を示した図である。
【図９】従来例を示した図である。
【発明を実施するための形態】
【００１９】
以下、本発明の実施形態を図面に基づいて詳細に説明する。以下の好ましい実施形態は、本質的に例示にすぎず、本発明、その適用範囲あるいはその用途を制限することを意図するものではない。
【００２０】
（プラグの概要）
【００２１】
本実施形態に係るプラグ１０は、造営材等に配設されたコンセント２００（区別のために一次側コンセントという）に差し込み接続されて用いられるプラグである。プラグ１０の本体には、コンセント３１、３３（区別のために二次側コンセントという）が配設されており、負荷機器等のプラグをプラグ１０の本体のコンセントに差し込み接続することによって、当該負荷機器等に電力を供給する。
【００２２】
また、プラグ１０の本体には、前記負荷機器や電気配線等の絶縁劣化によって漏電が発生した場合には、これを瞬時に検知して一次側コンセント２００からの電力の負荷機器への供給を遮断する漏電検知部と遮断機構を収容しており、プラグ１０全体として、プラグ型の漏電遮断器を構成している。
【００２３】
特に、プラグ１０は、電圧相および中性相に接続される夫々の栓刃２５ａと、接地極に接続される栓刃２５ｂ（アースピンという）の全部で３つの栓刃を備えたプラグであり、上記一次側のコンセント２００が、アースピン差込穴がある３極コンセントである場合及びアースピン差込穴のない２極コンセントである場合の両方において、使用できるプラグとなっている。
【００２４】
なお、以下では、プラグ１０が一次側コンセント２００に差し込まれた状態において、手前側を向くプラグ１０の面を「前面」、コンセントと対向する面を「後面」と呼称する。プラグ１０がコンセントに差し込まれた状態を基準に、「上」、「下」、「左」、「右」の各方向を定義する。
【００２５】
図１に示すように、プラグ１０は、ユーザ（作業者）が片手手指で把持可能な大きさ（例えば１１０×５０×５５ｍｍ）の略円筒形状のプラグ本体２０を備えている。このプラグ本体２０の内部に、前記漏電検知部と遮断機構等の内容物を収容している。
【００２６】
プラグ１０の本体外形は、所定面に栓刃を備えたベース部２０ｂ２と、ベース部２０ｂ２に連接された内容物収容部２０ｂ１および２０ａとから形成される略円筒形状をしている。
【００２７】
ベース部２０ｂ２は、栓刃を備える程度の幅（例えば３０ｍｍ）を有して形成されている。また、ベース部２０ｂ２に連接する内容物収容部２０ｂ１はベース部２０ｂ２よりも大きな幅（例えば５０ｍｍ）を有して形成されている。
【００２８】
これらの幅の違いによって、プラグ１０の本体２０には、段差部２０ｂ３が形成される。この段差部２０ｂ３によって、手指の掛かり部を本体に外形形状として設けることができ、略円筒形状をした内容物収容部２０ａ、２０ｂの形状と相まって、プラグ１０の本体２０の把持部が形成される。
【００２９】
一方、段差部２０ｂ３には、栓刃の突出方向において、前記本体２０を把持する手指を収納するための手指収納部２０ｂ４が備えられる。手指収納部２０ｂ４は、ベース部２０ｂ２の左右側面部分と、内容物収容部２０ｂとの左右側面部分との凹部にて形成される。
【００３０】
内容物収容部２０における左右方向の幅の大きさに対して、ベース部２０ｂ２の左右側面の幅が小さく形成されているため、内容物収容部２０の周囲を手指で掴んだ時に、前記凹部に手指が収納される。ベース部２０ｂ２の左右側面に指先が位置し、本体２０をしっかりと掴むことができるとともに、指先がベース部２０ｂ２の後面にまで回り込むことを抑制する。
【００３１】
プラグ１０の本体２０の前面の下部及び下面（底面）に設けられたコンセント３１、３３は、負荷機器との接続口となる３極コンセントである。電圧相に接続される刃受８２、８３と、中性相に接続される刃受８６、８７を備えるとともに、接地極となる刃受９４、９６を備えている。
【００３２】
前記アースピン２５ｂと接地極となる刃受９４、９６は、電気的に同電位となるように、プラグ本体１０の内部において導体によって電気的に接続されている。
【００３３】
具体的には、接地端子配置部となるアース端子板９１の一端部にアース端子用のねじ９８ａが螺着されるとともに、アース端子板９１の他端部において、本体１０内部に縦横しアースピンの方向に延設される導体７１とアース端子板９１とを螺着するねじ９８ｃが設けられ、さらに、導体７１の端部とアースピン２５ｂとがリード線によって電気的に接続されることにより、電気的に接続されている。
【００３４】
接地端子配置部となるアース端子板９１は、所定面２０ｂ４における栓刃２５ａの突設方向において、後面に向かって一部が露出するように配置されている。すなわち、アース端子板９１に螺着されるねじ９８ｃはその操作部となるねじ頭が栓刃２５ａの突設方向に沿って配置されている。
【００３５】
また、接地端子配置部となるアース端子板９１の周囲は、栓刃２５ａが突設する所定面２０ｂ４から凹んで形成されている。また、左側面方向は開放されてベース部２０ｂ２が構成されている。
【００３６】
以下、プラグ１０の本体２０の構造について詳述する。
【００３７】
プラグの本体２０は、前後方向の中央部分で前後に分離可能であり、図５ではプラグ本体２０が前後に分離された状態を示している。
【００３８】
プラグ本体２０は、前半分を構成する前カバー２０ａと後半分を構成する後カバー２０ｂとからなる。前カバー２０ａは後側に、また後カバー２０ｂは前側にそれぞれ開口した有底箱状とされている。また、前カバー２０ａの左端部に係合爪部２０ｃが設けられ、後カバー２０ｂには、係合爪部２０ｃと対応する位置に係合爪部２０ｃに係合可能な係合凹部２０ｄが設けられている。そして、両カバー２０ａ，２０ｂを各々の開口同士を突き合わせた状態で、前カバー２０ａの係合爪部２０ｃと、後カバー２０ｂの係合凹部２０ｄとを係合させる。これにより、両カバー２０ａ，２０ｂが一体的に組み付けられてプラグ本体２０となり、その内部に閉空間が形成されるようになっている。上記組み付け後、前カバー２０ａと後カバー２０ｂとは、図示しないタッピングねじにより、後カバー２０ｂの後面側の４隅においてねじ止め固定される。
【００３９】
以下、単にプラグ本体２０という場合には、上記のねじ止め固定後のプラグ本体を指すものとする。すなわち、このねじ止め固定後のプラグ本体２０は、前カバー２０ａの底壁からなる前壁部と、この前壁部の後側に配置され、後カバー２０ｂの底壁からなる後壁部と、前カバー２０ａ及び後カバー２０ｂの双方の周囲壁からなり、前壁部及び後壁部を接続する四周の側壁部とを有する。上記側壁部は、上下及び左右の壁部で構成されている。なお、覆い壁部は、前壁部及び四周の側壁部からなる。
【００４０】
漏電保護部５０は、図示しないが、漏電を検出する漏電検出部と、漏電検出部が過電流・漏電を検出したときにプラグの入出力間の接続を遮断する接続遮断部とを備えている。漏電保護部及び接続遮断部の構成は、従来技術の適用が可能であり、ここではその詳細な説明を省略する。
【００４１】
プラグの本体２０の後壁部において、上端寄りの位置には、２本の電極プラグ２９，２９及びアースプラグ２７からなる差し込みプラグ２５が突設されている。また、同じ後壁部の左下隅角部には、プラグ１０のアース端子の機能を有する圧着端子２６が設けられている。プラグ１０は、差し込みプラグ２５がコンセントに差し込まれ、かつ後述する３極コンセント部３１，３１に負荷機器のプラグが差し込まれることで、コンセントと負荷機器とを電気的に繋ぐものである。
【００４２】
プラグの本体２０の前壁部において、上下左右方向の中間位置には、プッシュ式のＯＮボタン２３及びテストボタン２４が記載順に上から並べられて設けられている。ＯＮボタン２３は、商用電力の負荷機器への供給をオンさせる（接続状態にする）スイッチである。テストボタン２４は、プラグ１０が正常動作するか（即ち、漏電発生の際に負荷機器への商用電力の供給が遮断されるか）を確かめるために、商用電力の負荷機器への供給をオフ状態（遮断状態）にするスイッチである。
【００４３】
また、プラグ本体２０の前壁部において、テストボタン２４の下側には、負荷機器等のプラグを挿入するための１つの差込口３１（３極プラグ対応）が設けられている。図示しないが、プラグ本体２０の側壁部の一部である下壁部の中央にも同様の１つの差込口が設けられている。プラグ本体２０内の下部には、両差込口３１から差し込まれた負荷機器等の電源プラグ及びアースプラグが嵌められる共通の刃受金具３２が設けられている。
【００４４】
プラグ本体２０の前壁部において、ＯＮボタン２３上側の左端寄り位置には電源表示部２１が、また右端寄りの位置には極数表示部２２がそれぞれ互いに同じ高さ位置になるように設けられている。
【００４５】
電源表示部２１は、例えばＬＥＤで構成されており、ＯＮボタン２３を押してコンセントに差し込まれたことが検知されると、すなわち、プラグ１０を介してコンセントと負荷機器等との間における通電が可能な状態になると点灯する。これにより、プラグ１０を使用するユーザは、商用電力と負荷機器とが正常に導通されていることを把握することができる。一方で、電源表示部２１は、過電流や漏電を検知した漏電保護部５０により遮断動作が行われた場合等、プラグ１０が通電不可の状態になると消灯する。これにより、ユーザは、過電流または漏電が生じたこと、又は、テストが正常に行われたことを把握することができる。
【００４６】
過電流または漏電が生じた後、及びテストボタン２４によるプラグ１０の動作確認が終了した後は、ＯＮボタン２３が再度押されることにより、プラグ１０は再び漏電検知遮断器として使用することが可能となる。
【００４７】
極数表示部２２は、差し込みプラグ２５の極数の状態を表すものであり、プラグ本体２０の前壁部に貫通形成された極数表示窓２２ａと、極数表示窓２２ａの後側のプラグ本体２０内に配された後述する色表示部４６ａとからなる。換言すると、極数表示部２２は、極数表示窓２２ａを通して色表示部４６ａの表示色が見えるように構成されている。
【００４８】
プラグ本体２０の左側壁部において、上端寄りの位置には、断面円弧状の周囲壁部を有する円形の凹部２８ａが形成されている。凹部２８ａの底部から前端にかけて、矩形状のボタン挿通孔２８ｂが左側壁部を貫通するように形成されている。ボタン挿通孔２８ｂには、操作手段としてのプッシュ式の解除ボタン４１が移動可能に挿通されている。解除ボタン４１は、右方向に延びるロッド部４１ｃを有していて、その先端部（左端部）がプラグ本体２０外に突出した位置（以下、ボタン基準位置ともいう）でプラグ本体２０に抜け止めされている。この解除ボタン４１は、ロッド部４１ｃ周りの解除ボタンばね４２（図２参照）によって常時突出方向に付勢されている。すなわち、解除ボタン４１は、操作力が与えられたときにプラグの本体２０内に押し込まれ、その操作力が解除されると、突出位置に復帰するように構成されている。
【００４９】
次に電源用受刃について詳述する。
【００５０】
（電源用刃受）
【００５１】
電源用受刃８２，８６，８３，８７は、各コンセント部３１，３３に負荷機器の電源プラグが差し込まれた際、当該プラグの電源栓刃を挟持するためのものであって、導電性の比較的良好な金属（銅等）によって形成されている。図６において、本体２０の右側面２８Ｒ側に電源用受刃８１が配置され、本体２０の左側面２８Ｌ側に電源用受刃８５が配置される。電源用受刃８１及び電源用受刃８５は、本体２０内部に配設された際、図３に係るＸ方向に延びる破線Ｌ１に対し、左右対称となっている。
【００５２】
具体的に、電源用受刃８１は、第１電源受刃部８２及び第２電源受刃部８３を有し、電源用受刃８５は、第１電源受刃部８６及び第２電源受刃部８７を有する。
【００５３】
図５に示すように、第１電源受刃部８２は、第１コンセント部３１に差し込まれる電源プラグ１７０の電源栓刃１８２に沿ってＺ方向に延設され、第１電源受刃部８６は、当該電源プラグ１７０の電源栓刃１８６に沿ってＺ方向に延設されている。これにより、各電源用受刃８１，８５の第１電源受刃部８２，８６は、電源プラグ１７０の２極の電源栓刃１８２，１８６それぞれを挟持固定する。
【００５４】
第２電源受刃部８３は、第２コンセント部３３に差し込まれる電源プラグ１８０の電源栓刃１８３に沿ってＸ方向に延設され、第２電源受刃部８７は、当該電源プラグ１８０の電源栓刃１８７に沿ってＸ方向に延設されている。これにより、各電源用受刃８１，８５の第２電源受刃部８３，８７は、電源プラグ１８０の２極の電源栓刃１８３，１８７それぞれを挟持固定する。
【００５５】
より詳細には、電源用受刃８１の第１電源受刃部８２及び第２電源受刃部８３は、１枚の板状の金属によって一体形成されており、図６に示すように、本体２０の下面（底面）２３側から見た場合に、Ｚ方向断面がいずれも同じ高さ部にてＵ字形となっている。つまり、第１電源受刃部８２，８６は、電源栓刃の差し込み方向側に凸となっているが、第２電源受刃部８３，８７は、電源栓刃の差し込み方向側ではなく、差し込み方向に対し垂直な方向に凸となっている。第１電源受刃部８２，８６のＺ方向の幅は、第２電源受刃部８３，８７のＺ方向の幅よりも長いが、第１電源受刃部８２，８６のＸ方向の幅は、第２電源受刃部８３，８７のＸ方向の幅よりも短い。各幅の長さは、第１電源受刃部８２，８６と第２電源受刃部８３，８７とで、差し込み方向が異なる挟持固定対象の電源栓刃それぞれの延設長さに合わせて決定されている。第１電源受刃部８２，８６及び第２電源受刃部８３，８７それぞれにおいて、第１電源受刃部８２，８６の正面側の先端部及び第２電源受刃部８３，８７の下面（底面）２３側の先端部は、本体２０の外方に向けて拡開されている。
【００５６】
上記構成により、負荷機器の電源プラグが各コンセント部３１，３３に差し込まれると、第１電源受刃部８２，８６は、電源栓刃の差し込み方向先端部を覆うが、第２電源受刃部８３，８７は、電源栓刃の差し込み方向の先端部を開放する。即ち、電源プラグの差し込み時、電源プラグの電源栓刃同士が限界まで近接した状態にて固定される。これにより、第１電源受刃部８２，８６及び第２電源受刃部８３，８７が共に両電源栓刃の差し込み方向の先端部を覆う場合に比して、本体２０の小型化が実現できている。
【００５７】
また、図３に示すように、各電源用受刃８３，８７，８２，８６には、第１電源受刃部８２，８６よりもＸ方向に延びる部分において、背面２４側に凹部８１ａ，８５ａが形成されている。この凹部８１ａ，８５ａが、仕切り板２０ｂａに形成された溝に係合されることにより、電源用受刃８１，８５は、後カバー２０ｂに固定される。
【００５８】
次にアース用受刃について詳述する。
【００５９】
（アース用受刃）
【００６０】
アース用受刃９０は、各コンセント部３１，３３に負荷機器の電源プラグが差し込まれた際、当該プラグのアースピンを挟持するためのものであって、導電性の比較的良好な金属（銅等）によって形成されている。アース用受刃９０は、図４に示すアース端子板９１、第１アース受刃部９４及び第２アース受刃部９６を有し、これらが図６に示すように組み合わせられることで構成されている。
【００６１】
アース端子板９１は、ＸＹ方向に延びるアース端子板９１と、アース端子板９１の一部分からＺ方向に階段状に折り曲げられることで突出するように構成された突出部とを有する。
【００６２】
アース端子板９１の一端部には、アース端子用のねじ９８ａが螺着される。アース端子板９１の他端部においては、本体１０内部に縦横しアースピンの方向に延設される導体７１とアース端子板９１とを螺着するねじ９８ｃが設けられ、さらに、導体７１の端部とアースピン２５ｂとがリード線によって電気的に接続されることにより、電気的に接続されている。
【００６３】
アース端子板９１は、本体２０の後面２４に一部が露出しており、アース端子用のねじ９８ａが螺着される。このアース端子用のねじ９８ａに対して、本体２０の外部から電線を取付けることが可能となる。なお、電線を取り付ける時には電気的な安全を確保するために、圧着端子２６を用いて取付ける。
【産業上の利用可能性】
【００６４】
本発明は、プラグ本体の外部から、本体外部の接地極に接続することができるアース線接続端子部を備えているから、漏電検知機能や遮断機能等を内部に備えた差込プラグ形の漏電遮断器のほか、幅広く適用されるプラグとして有用である。
【符号の説明】
【００６５】
１０  プラグ
２０  本体
２５ｂ  アースピン
９１  アース端子板
９４  接地極となる刃受
９５  接地極となる刃受
９８ａ  アース端子
７１  導体
【図１】
2017199482.tif 000003
【図２】
2017199482.tif 000004
【図３】
2017199482.tif 000005
【図４】
2017199482.tif 000006
【図５】
2017199482.tif 000007
【図６】
2017199482.tif 000008
【図７】
2017199482.tif 000009
【図８】
2017199482.tif 000010
【図９】
2017199482.tif 000011